(57)【要約】      （修正有）【課題】接着剤の漏れを防止すると共に、受光素子の位置調整部の大型化を回避して電子機器の小型化を図り、更には、位置調整後の位置ずれを抑制する仕組みを提供する。【解決手段】電子機器は、軸部１１ａを有して、レンズ９ａ，９ｂを保持するレンズ保持部材１１と、軸部１１ａが挿入され、軸部１１ａとの間の空間に接着剤が充填される穴部１２ａを有して、レンズ９ａ，９ｂを通過した光束が結像する受光素子１０を保持する素子保持部材１２と、素子保持部材１２のレンズ保持部材１１を向く端面側に軸部１１ａに外挿された状態で配置され、前記空間に充填された接着剤の漏れを防止する漏れ防止部材１３と、漏れ防止部材１３を保持した状態で素子保持部材１２に取り付けられる案内部材１４とを備える。【選択図】図２
2012123115.tif 000002
【特許請求の範囲】
【請求項１】
レンズを通過した光束が結像する受光素子を備える電子機器であって、
軸部を有して、前記レンズを保持するレンズ保持部材と、
前記軸部が挿入され、前記軸部との間の空間に接着剤が充填される穴部を有して、前記受光素子を保持する素子保持部材と、
前記素子保持部材の前記レンズ保持部材を向く端面の側に前記軸部に外挿された状態で配置され、前記空間に充填された前記接着剤の漏れを防止する漏れ防止部材と、
前記漏れ防止部材を保持した状態で前記素子保持部材に取り付けられる案内部材と、を備え、
前記漏れ防止部材は、前記空間に前記接着剤を充填する前において、前記素子保持部材及び前記案内部材に対して、前記穴部の開口を塞いだ状態で前記レンズ保持部材の前記軸部とともに前記穴部の径方向に相対的に移動可能に前記案内部材に保持されることを特徴とする電子機器。
【請求項２】
前記案内部材は、前記漏れ防止部材を前記穴部の径方向に沿って案内する平面部と、前記漏れ防止部材の前記穴部の径方向の移動量を制限する制限部と、を有することを特徴とする請求項１に記載の電子機器。
【請求項３】
前記漏れ防止部材は、前記軸部に対する前記穴部の相対的な傾き調整が可能な状態で前記軸部に外挿されることを特徴とする請求項１又は２に記載の電子機器。
【請求項４】
前記接着剤が光硬化型であることを特徴とする請求項１乃至３のいずれか一項に記載の電子機器。
【請求項５】
前記漏れ防止部材を透明部材で形成するとともに、前記案内部材を光を反射可能な部材で形成したことを特徴とする請求項４に記載の電子機器。
【発明の詳細な説明】
【技術分野】
【０００１】
本発明は、例えばデジタル一眼レフカメラ等の電子機器に関する。
【背景技術】
【０００２】
デジタル一眼レフカメラ等では、撮影する画像を適正な露出に調整するため、撮影光学系を介してピント板上に結像させた一次結像を、再結像光学系により、受光素子上に二次結像させて被写界輝度を検出する測光装置が搭載されている。
【０００３】
このような測光装置においては、受光素子と受光素子上に結像する二次結像との相対位置が設計上の所定位置に一致していないと、受光素子で測光する画面領域と撮影が行われる画面領域とがずれてしまい、所望の露出が得られない場合がある。したがって、受光素子の再結像光学系に対する相対的な位置を調整する必要がある。
【０００４】
一方、近年の測光装置では、被写界の測光を行うだけでなく、被写界の輝度情報を基に被写体（例えば人や車等）の位置を認識して、焦点検出やシーン認識に利用する機能も要求されるようになってきている。このような測光装置においては、受光素子と再結像光学系の光軸方向（Ｚ軸）との相対位置を厳密に位置決めする必要がある。
【０００５】
結像光学系と焦点検出装置の受光素子との相対的位置を調整する技術として、一対のヒンジ軸を用いて、結像レンズの光軸方向（Ｚ軸）に対して直交する２つの軸（Ｘ軸、Ｙ軸）周りの傾き（θｘ、θｙ）を調整する位置調整装置が提案されている。この提案では、一対のヒンジ軸によるθｘ、θｙの傾き調整に加え、Ｘ軸、Ｙ軸方向の位置と、結像レンズのＺ軸方向の位置と光軸周りの傾き（θｚ）の計６軸方向の位置調整を可能にしている（特許文献１）。
【０００６】
また、撮像素子保持部材に凹部及び凹部の底面を貫通する穴部を設け、穴部に撮像素子固定部材に設けた軸部を挿入すると共に、軸部と穴部との相対位置が調整可能な接着剤の漏れ防止部材を軸部に外挿して凹部の底面に面接触させた技術が提案されている。この提案では、撮像素子と結像レンズとの相対的な６軸方向の位置を調整した後、凹部に接着剤を充填して軸部と凹部との間を漏れ防止部材とともに接着することで、位置調整後の位置ずれを抑制することができるとしている（特許文献２）。
【先行技術文献】
【特許文献】
【０００７】
【特許文献１】特許第３９８４６７９号公報
【特許文献２】特許第３４３４１０３号公報
【発明の概要】
【発明が解決しようとする課題】
【０００８】
しかし、上記特許文献１では、一対のヒンジ軸によるθｘ、θｙの傾き調整で大きく移動させた場合に、ヒンジ軸とセンサ保持部材同士の位置関係が変化して、ヒンジ軸とセンサ保持部材の間の接着固定部位に大きなすき間が形成される可能性がある。このため、接着領域が安定せず、接着剤硬化時の収縮等により位置調整後に位置ずれが生じるおそれがある。
【０００９】
上記特許文献２では、接着剤の漏れ防止部材が組立中や位置調整中に脱落したり凹部の底面から浮く可能性があるため、接着剤の漏れ防止効果が十分に得られない場合がある。また、漏れ防止部材が位置調整範囲内で凹部内を径方向に移動する分、凹部の径を大きくする必要があり、受光素子の位置調整部が大型化して電子機器の小型化を妨げる原因になる。さらに、凹部の径が大きくなると、接着剤の充填量が多くなるため、接着剤のコストが高くつくとともに、接着剤硬化時の収縮等により位置調整後に位置ずれが生じやすくなる。
【００１０】
そこで、本発明は、接着剤の漏れを良好に防止することができるとともに、受光素子の位置調整部の大型化を回避して電子機器の小型化を図ることができ、更には、位置調整後の位置ずれを抑制することができる仕組みを提供することを目的とする。
【課題を解決するための手段】
【００１１】
上記目的を達成するために、本発明の電子機器は、レンズを通過した光束が結像する受光素子を備える電子機器であって、軸部を有して、前記レンズを保持するレンズ保持部材と、前記軸部が挿入され、前記軸部との間の空間に接着剤が充填される穴部を有して、前記受光素子を保持する素子保持部材と、前記素子保持部材の前記レンズ保持部材を向く端面の側に前記軸部に外挿された状態で配置され、前記空間に充填された前記接着剤の漏れを防止する漏れ防止部材と、前記漏れ防止部材を保持した状態で前記素子保持部材に取り付けられる案内部材と、を備え、前記漏れ防止部材は、前記空間に前記接着剤を充填する前において、前記素子保持部材及び前記案内部材に対して、前記穴部の開口を塞いだ状態で前記レンズ保持部材の前記軸部とともに前記穴部の径方向に相対的に移動可能に前記案内部材に保持されることを特徴とする。
【発明の効果】
【００１２】
本発明によれば、接着剤の漏れを良好に防止することができるとともに、受光素子の位置調整部の大型化を回避して電子機器の小型化を図ることができ、更には、位置調整後の位置ずれを抑制することができる。
【図面の簡単な説明】
【００１３】
【図１】本発明の電子機器の実施形態の一例であるデジタル一眼レフカメラの概略断面図である。
【図２】二次結像レンズと受光素子との相対的位置を調整するための位置調整部の分解斜視図である。
【図３】位置調整部の組立状態を示す断面図である。
【図４】レンズ保持部材の軸部と素子保持部材の穴部との間に光硬化型等の接着剤を充填した状態を示す断面図である。
【図５】二次結像に対する受光素子の傾き調整を説明するための断面図である。
【図６】二次結像に対する受光素子の平面方向の位置調整を説明するための断面図である。
【発明を実施するための形態】
【００１４】
以下、本発明の実施形態の一例を図面を参照して説明する。
【００１５】
図１は、本発明の電子機器の実施形態の一例であるデジタル一眼レフカメラの概略断面図である。
【００１６】
本実施形態のデジタル一眼レフカメラは、図１に示すように、カメラ本体１の内部に主ミラー３が回動可能に設けられている。主ミラー３は、回動動作により、ファインダ観察時に、撮影光路内に進入するミラーダウン状態（図１）となり、撮影時に、撮影光路から退避するミラーアップ状態になる。
【００１７】
そして、主ミラー３のミラーダウン状態では、撮影レンズ２を通過して撮影光路に進入した被写体の光束は、主ミラー３で上方に反射されてピント板６で一次結像した後、ペンタプリズム７を通って接眼レンズ８に導かれる。これにより、撮影者は、接眼レンズ８からピント板６で一次結像した像を観察することができる。また、ピント板６で一次結像した像は、ペンタプリズム７及び二次結像レンズ９ａ，９ｂを通って受光素子１０に二次結像し、受光素子１０は、二次結像した像に基づき被写界の輝度を検出する。
【００１８】
一方、主ミラー３のミラーアップ状態では、撮影レンズ２を通過して撮影光路に進入した被写体の光束は、シャッター４を通過して撮像素子５に結像する。撮像素子５に結像した画像は、カメラ本体１の背面に設けられた不図示の表示装置に表示されるとともに、不図示の記録媒体に画像データとして記録される。
【００１９】
図２は二次結像レンズ９ａ，９ｂと受光素子１０との相対的位置を調整するための位置調整部の分解斜視図、図３は位置調整部の組立状態を示す断面図である。
【００２０】
図２に示すように、位置調整部は、二次結像レンズ９ａ，９ｂを保持するレンズ保持部材１１と、受光素子１０を保持する素子保持部材１２と、レンズ保持部材１１と素子保持部材１２との間に配置される接着剤の漏れ防止部材１３と、を備える。
【００２１】
レンズ保持部材１１は、不図示のペンタプリズム７の保持部材等に固定するための部材であり、二次結像レンズ９ａ，９ｂを径方向に挟む位置に二次結像レンズ９ａ，９ｂの光軸方向に対して平行に延びる２つの軸部１１ａが設けられている。
【００２２】
ここで、本実施形態では、二次結像レンズ９ａ，９ｂの光軸方向をｚ軸とし、ｚ軸に直交し、２つの軸部１１ａを結ぶ方向と平行な方向をｘ軸とし、ｚ軸に直交しかつｘ軸と直交する方向をｙ軸とする。また、ｘ軸、ｙ軸、ｚ軸周りの回転方向をそれぞれθｘ、θｙ、θｚとする。
【００２３】
素子保持部材１２は、レンズ保持部材１１の２つの軸部１１ａがすき間を有して挿入される２つの穴部１２ａを有する。素子保持部材１２の穴部１２ａのｙ軸方向の両側には、それぞれ係止突起１２ｃが形成されている。
【００２４】
ここで、穴部１２ａの内径は、受光素子１０を二次結像レンズ９ａ，９ｂに対して位置調整する際に、素子保持部材１２を必要な調整範囲の最大移動量で移動させても、軸部１１ａに干渉せず、かつ、軸部１１ａとの間に必要量の接着剤が充填される径に設定される。したがって、前記位置調整後に接着固定される穴部１２ａと軸部１１ａを必要最小限のスペースに配置することができる。
【００２５】
漏れ防止部材１３は、環状の板部材で形成され、素子保持部材１２のレンズ保持部材１１を向く端面１２ｂ側に配置されて、穴部１３ａがレンズ保持部材１１の軸部１１ａに外挿される。また、漏れ防止部材１３は、案内部材１４により、素子保持部材１２に対して軸部１１ａとともに穴部１２ａの開口を塞いだ状態で穴部１２ａの径方向に相対的に移動可能に保持される。
【００２６】
案内部材１４は、平面部１４ａと、平面部１４ａのｙ軸方向の両側にｚ軸方向に向けて突設された移動制限部１４ｂと、平面部１４ａのｘ軸方向の両側にｚ軸方向に向けて突設され、移動制限部１４ｂより低い移動制限部１４ｃと、を備える。
【００２７】
移動制限部１４ｂには、素子保持部材１２の係止突起１２ｃに係止される係止穴１４ｄが設けられている。平面部１４ａには、漏れ防止部材１３の素子保持部材１２の反対側の面が面接触しており、漏れ防止部材１３は、平面部１４ａに沿って穴部１２ａの径方向に案内される。また、平面部１４ａには、素子保持部材１２の穴部１２ａと同様に、素子保持部材１２を必要な調整範囲の最大移動量で移動させた際に、軸部１１ａに干渉しない穴部１４ｅが設けられている。
【００２８】
そして、図３に示すように、平面部１４ａで漏れ防止部材１３を相対的に径方向に移動可能な状態で保持し、移動制限部１４ｂの係止穴１４ｄを素子保持部材１２の係止突起１２ｃに係止する。これにより、漏れ防止部材１３が、案内部材１４を介して素子保持部材１２に保持される。
【００２９】
このとき、漏れ防止部材１３は、移動制限部１４ｂ，１４ｃにより平面部１４ａでの必要調整範囲外の移動が制限されるため、穴部１３ａを軸部１１ａに外挿する前においても、素子保持部材１２に対して浮きや脱落が発生しない状態で保持される。
【００３０】
ここで、素子保持部材１２は、ｘ軸、ｙ軸、ｚ軸、θｘ、θｙ、θｚの計６軸方向の移動が可能な不図示の調整工具にチャッキングされる。この状態で、受光素子１０が二次結像レンズ９ａ，９ｂにより二次結像される像に対して所定位置になるようにレンズ保持部材１１に対して素子保持部材１２を相対的に移動させて位置調整を行う。
【００３１】
そして、位置調整後、図４に示すように、軸部１１ａと穴部１２ａとの間の空間に光硬化型等の接着剤を充填して、光を照射し、接着剤を硬化させる。これにより、レンズ保持部材１１と素子保持部材１２とが固定されて、二次結像レンズ９ａ，９ｂに対して受光素子１０が位置決めされる。
【００３２】
ここで、漏れ防止部材１３の内径は、図３に示すように、軸部１１ａに対してすき間ｍを有した径に設定される。具体的には、図５に示すように、受光素子１０を二次結像に対してθｘ、θｙ方向に傾き調整する際の必要な調整範囲の最大角度をそれぞれ角度α、角度βとし、漏れ防止部材１３の厚みをｔとしたとき、ｍ−ｔ×ｔａｎα（ｏｒβ）≧０となるように設定される。
【００３３】
これにより、漏れ防止部材１３は、受光素子１０の傾き調整時に必要な最大角度で素子保持部材１２が傾いても穴部１３ａと軸部１１ａとの干渉がなく、必要な調整範囲での傾きが制限されることがない。
【００３４】
また、漏れ防止部材１３の外径は、受光素子１０を二次結像に対してｘ、ｙ軸方向に位置調整する際に穴部１２ａが移動するのに必要な調整範囲よりも大きな径に設定される。具体的には、漏れ防止部材１３の外径は、図３に示すように、軸部１１ａと穴部１２ａのすき間をｎ、穴部１２ａの内径から漏れ防止部材１３の外径までの距離をｐとしたとき、ｎ＜ｐとなるように設定される。
【００３５】
これにより、図６に示すように、レンズ保持部材１１に対して素子保持部材１２をｘ−ｙ平面上で移動させる位置調整において、最大移動量で軸部１１ａと穴部１２ａのすき間ｎの距離を移動したとしても、漏れ防止部材１３により穴部１２ａの開口が塞がれる。このため、穴部１２ａから接着剤が漏れることなく、安定した接着を行うことができる。
【００３６】
また、図３に示すように、移動制限部１４ｂ（１４ｃ）と漏れ防止部材１３の外径との距離をｑとし、前述したように、軸部１１ａと漏れ防止部材１３の内径とのすき間をｍ、軸部１１ａと穴部１２ａの隙間をｎとする。そして、図６に示すように、レンズ保持部材１１に対して素子保持部材１２をｘ−ｙ平面上で移動させる位置調整をしたときに、ｑ＜ｎ−ｍ、かつ、ｑ≧必要調整範囲に設定する。
【００３７】
これにより、素子保持部材１２の必要調整範囲を超える移動は、移動制限部１４ｂ（１４ｃ）と漏れ防止部材１３の外径部により制限され、軸部１１ａと穴部１２ａのすき間ｎは余裕を持って確保されて、安定した接着を行うことができる。
【００３８】
更に、移動制限部１４ｃの先端が素子保持部材１２に当接することで、図３に示すように、漏れ防止部材１３が素子保持部材１２に対してｘ−ｙ平面方向での移動が可能なように、ｚ軸方向に微小なすき間を保った状態で保持される。
【００３９】
この場合、接着剤の粘性が低いと、漏れ防止部材１３と素子保持部材１２との間の微小なすき間に接着剤が流れ込む可能性がある。特に、光硬化型接着剤を充填する場合、この微小なすき間に流れ込んだ接着剤に光が照射されずに未硬化部分が残ると、接着固定時には受光素子１０が所定位置にあっても、熱変化等の理由で経時的に硬化が進行し、受光素子１０の位置ずれにつながるおそれがある。
【００４０】
そこで、漏れ防止部材１３を透明部材とすると共に、案内部材１４をアルミニウム等の金属製にして照射光を平面部１４ａで反射可能とすることで、微小なすき間に流れ込んだ光硬化型接着剤に光が周り込むようにして未硬化部分が残らないようするのが好ましい。
【００４１】
また、漏れ防止部材１３と素子保持部材１２とのｚ軸方向の微小すき間、及びレンズ保持部材１１の軸部１１ａと漏れ防止部材１３の穴部１３ａとのすき間は、受光素子１０の位置調整を行うために必要である。このため、接着剤は、これらのすき間から表面張力で漏れ出さない程度の粘性を有するものが好ましい。
【００４２】
以上説明したように、本実施形態では、漏れ防止部材１３が素子保持部材１２に対して浮きや脱落が発生しない状態で保持されるので、接着剤の漏れ防止効果を十分に得ることができる。
【００４３】
また、本実施形態では、受光素子１０の位置調整後に接着固定される穴部１２ａと軸部１１ａとを必要最小限のスペースに配置することができる。このため、受光素子１０の位置調整部の大型化を回避してカメラの小型化を図ることができ、また、接着剤の充填量を少なくして接着剤コストを低くすることができるとともに、接着剤硬化時の収縮等による位置調整後の位置ずれを抑制することができる。
【００４４】
なお、本発明の構成は、上記実施形態に例示したものに限定されるものではなく、材質、形状、寸法、形態、数、配置箇所等は、本発明の要旨を逸脱しない範囲において適宜変更可能である。
【００４５】
例えば、上記実施形態では、案内部材１４の移動制限部１４ｂ，１４ｃにより、漏れ防止部材１３の脱落防止と移動スペースの確保を行っているが、素子保持部材１２側に移動制限部を設けて同様の効果を得るようにしても良い。
【符号の説明】
【００４６】
９ａ，９ｂ  二次結像レンズ
１０  受光素子
１１  レンズ保持部材
１１ａ  軸部
１２  素子保持部材
１２ａ  穴部
１３  漏れ防止部材
１４  案内部材
【図１】
2012123115.tif 000003
【図２】
2012123115.tif 000004
【図３】
2012123115.tif 000005
【図４】
2012123115.tif 000006
【図５】
2012123115.tif 000007
【図６】
2012123115.tif 000008